(57)【要約】【課題】  走行機体の前部から後部に向けてマット苗を移送する苗移送装置を設けた移植機において、畦側の補助者と移植機上のオペレータの両者に略適正な作業姿勢でマット苗の供給作業ができるように苗移送装置の傾斜姿勢を調節できる移植機を提供する。【解決手段】  苗移送装置を前部と後部を各別に高さ調節自在な支持装置を介して走行機体の側部に支持する。  また、支持装置を、走行機体の側部前後に複数立設されると共に、各別に上下伸縮自在な支柱とする。  さらに、操作具の握り操作で支柱の筒柱と支持杆との係止を解除して苗移送装置を上下操作可能とする。  そして、前記支柱をアクチュエータによって上下伸縮自在に構成する。【選択図】図４
2007037500.tif 000002
【特許請求の範囲】
【請求項１】
走行機体の後部に、苗載せ台からマット苗を掻きとって圃場に移植する移植作業機を連結すると共に、走行機体の前部から後部に向けてマット苗を移送する苗移送装置を設けた移植機において、前記苗移送装置を前部と後部を各別に高さ調節自在な支持装置を介して走行機体の側部に支持したことを特徴とする移植機。
【請求項２】
前記支持装置は、走行機体の側部前後に複数立設されると共に、各別に上下伸縮自在な支柱からなることを特徴とする請求項１に記載の移植機。
【請求項３】
前記支柱を走行機体の側部に立設した筒柱と、該筒柱の内部にスライド可能に嵌合する支持杆とで構成し、筒柱と支持杆との係止位置を選択することで苗移送装置の前部と後部を各別に高さ設定可能に構成すると共に、苗移送装置に把手及び該把手と同時に握り操作可能な操作具を設け、該操作具の握り操作で前記筒柱と支持杆との係止を解除して苗移送装置を上下操作可能とすることを特徴とする請求項２に記載の移植機。
【請求項４】
前記支柱をアクチュエータによって上下伸縮自在に構成したことを特徴とする請求項２に記載の移植機。
【発明の詳細な説明】
【技術分野】
【０００１】
本発明は、走行機体の前部から後部に向けてマット苗を移送する苗移送装置を設けた移植機に関する。
【背景技術】
【０００２】
走行機体の後部に、苗載せ台からマット苗を掻きとって圃場に移植する移植作業機を連結すると共に、走行機体の前部から後部に向けてマット苗を移送する苗移送装置を前高後低状に傾斜させて設け、畦際の補助者が苗移送装置の前部にマット苗を供給し、移植機上のオペレータが苗移送装置の後部からマット苗を取り出して走行機体の後部に連結した移植作業機の苗載せ台に供給するように構成した移植機は既に知られている（特許文献１参照。）。
【０００３】
【特許文献１】特開２００５−１７６６８０号公報
【発明の開示】
【発明が解決しようとする課題】
【０００４】
前記特許文献１に記載のものは、苗移送装置の前後傾斜が一定であり、畦の高さが一般的な高さと異なる圃場条件や、補助者の体格によっては苗移送装置の前部の高さが合わずマット苗を供給する際に無理な姿勢を強いられる場合があった。
また、苗移送装置の前部の高さを適正な高さにするために、苗移送装置を平行上下させると後部の高さも同量変化してしまうため、移植機上のオペレータの作業姿勢に無理が生じる場合がある。
本発明の目的は、走行機体の前部から後部に向けてマット苗を移送する苗移送装置を設けた移植機において、畦側の補助者と移植機上のオペレータの両者が略適正な作業姿勢でマット苗の供給作業ができるように苗移送装置の傾斜姿勢を調節できる移植機を提供することにある。
【課題を解決するための手段】
【０００５】
本発明は、走行機体の後部に、苗載せ台からマット苗を掻きとって圃場に移植する移植作業機を連結すると共に、走行機体の前部から後部に向けてマット苗を移送する苗移送装置を設けた移植機において、前記苗移送装置を前部と後部を各別に高さ調節自在な支持装置を介して走行機体の側部に支持したことを第１の特徴とする。
【０００６】
また、支持装置は、走行機体の側部前後に複数立設されると共に、各別に上下伸縮自在な支柱からなることを第２の特徴とする。
【０００７】
さらに、前記支柱を走行機体の側部に立設した筒柱と、該筒柱の内部にスライド可能に嵌合する支持杆とで構成し、筒柱と支持杆との係止位置を選択することで苗移送装置の前部と後部を各別に高さ設定可能に構成すると共に、苗移送装置に把手及び該把手と同時に握り操作可能な操作具を設け、該操作具の握り操作で前記筒柱と支持杆との係止を解除して苗移送装置を上下操作可能とすることを第３の特徴とする。
【０００８】
そして、前記支柱をアクチュエータによって上下伸縮自在に構成したことを第４の特徴とする。
【発明の効果】
【０００９】
本発明の移植機は、走行機体の後部に、苗載せ台からマット苗を掻きとって圃場に移植する移植作業機を連結すると共に、走行機体の前部から後部に向けてマット苗を移送する苗移送装置を設けた移植機において、前記苗移送装置を前部と後部を各別に高さ調節自在な支持装置を介して走行機体の側部に支持したので、移植機前方の畦において苗移送装置の前端部にマット苗を載置する補助者と、移植機上で苗移送装置の後端部からマット苗を取り出して苗載せ台に載置するオペレータの夫々の作業姿勢に無理がかからないように、且つ、マット苗がスムーズに苗移送装置上を搬送されるように、最適な苗移送装置の前端部、及び後端部の高さ、並びに前後傾斜を適宜選択することができる。
【００１０】
また、前記支持装置が、走行機体の側部前後に複数立設されると共に、各別に上下伸縮自在な支柱からなるので、苗移送装置の前部、又は後部のうち一方を支柱に支持した状態で他方の高さを調節することにより、苗移送装置の前端部、又は後端部のうち所望の一方を調節した後、他方を苗移送装置の前後傾斜を睨みながら高さ設定することができる。
また、その際、苗移送装置の荷重を前後一方の支柱で受けながら他方の高さ調節を行うので、高さ調節の際に作業者が支える重量を軽減することができる。
【００１１】
さらに、支柱を走行機体の側部に立設した筒柱と、該筒柱の内部にスライド可能に嵌合する支持杆とで構成し、筒柱と支持杆との係止位置を選択することで苗移送装置の前部と後部を各別に高さ設定可能に構成すると共に、苗移送装置に把手及び該把手と同時に握り操作可能な操作具を設け、該操作具の握り操作で前記筒柱と支持杆との係止を解除して苗移送装置を上下操作可能としたので、把手を持って苗移送装置を支えながら筒柱と支持杆との係止を解除することができ、筒柱と支持杆との係止解除、苗移送装置の上下操作、及び再度の係止という苗移送装置の高さ調節の一連作業を持ち替えなくスムーズに行うことができる。
【００１２】
そして、前記支柱をアクチュエータによって上下伸縮自在に構成すれば、作業者は重量物を支えることなく苗移送装置の高さ調節を行うことができる。
【発明を実施するための最良の形態】
【００１３】
以下、本発明の実施の形態を図面に基いて説明する。
【００１４】
図１、及び図２において、本発明の移植機の一例である乗用型田植機１は、走行機体２の後部に移植作業機３を油圧リンク機構４を介して昇降可能に設けており、走行機体２の下部には夫々左右一対の前輪５ａ，５ａ、と後輪５ｂ，５ｂを備えている。
走行機体２の前部には図示しないエンジン、油圧式無段変速装置、及びトランスミッションケースを設けており、エンジンから取り出された動力は、油圧式無段変速装置を介してトランスミッションケース内の動力伝達装置によって走行動力と、植付動力に分配されて前記前輪５ａ，５ａ、後輪５ｂ，５ｂ、及び移植作業機３に伝達される。
【００１５】
前記移植作業機３について詳述すると、油圧リンク機構４の後端部にはローリング軸を介して植付横フレーム６が横設されており、該植付横フレーム６から上方に苗載台支持フレーム７が立設されて、苗載せ台８の上部を左右摺動自在に支持している。
また、植付横フレーム６の後下部には複数のプランターケース９が取り付けられ、該プランターケース９に苗の植付け用のビーク１０が設けられている。
また、プランターケース９の上面にはエプロンを介して苗載せ台８の下部が左右摺動自在に支持されている。
そして、プランターケース９の下方には、複数のフロート１１が左右方向に隣接して設けられており、本乗用型田植機１は、フロート１１が圃場面に接地するように移植作業機３を下降させ、走行機体２を走行させながらビーク１０を駆動することによって、ビーク１０が苗載台８上の苗を掻きとって圃場に植え付ける構造となっている。
【００１６】
また、苗載せ台８はその苗載せ面８ａが超親水性樹脂で構成されており、苗載せ面８ａと苗の間に水分が保持され、苗を安定して苗載せ面８ａ上を滑らせることで、苗送り不良による欠株を防止している。
【００１７】
一方、走行機体２の上部は機体前部を覆うフロントカバー１２、機体後部を覆うメインカバー１３等の各種機体カバーを用いて覆われている。
フロントカバー１２は中央にボンネット部１２ａを有し、その両側部に前部ステップ１２ｂ，１２ｂを一体的に連設している。
また、メインカバー１３は座席１４が設けられる中央膨出部１３ａを備えており、該中央膨出部１３ａの前半部を囲んでフロアステップ１３ｂが設けられ、後半部の両側部には、フロアステップ１３ｂの後端部に連なる前低後高の傾斜面１３ｃと、該傾斜面１３ｃの後端部に平坦なリヤステップ１３ｄを有している。
これら機体カバーに設けた前部ステップ１２ｂ，１２ｂ、フロアステップ１３ｂ、及びリヤステップ１３ｄ，１３ｄ上を走行機体２の前部から後部に渡って移動することが可能となっており、リヤステップ１３ｄ，１３ｄを後述する苗移送装置１５から前記苗載せ台８への苗供給作業時に足を載せる苗供給作業用のステップとしている。
【００１８】
一方、走行機体２の両側部には、走行機体２の前方の畦Ｚからマット苗Ｎを供給する苗移送装置１５を備えており、該苗移送装置１５は固定コンベア１５ａと固定コンベア１５ａ前部に上下回動可能に設けた第一可動コンベア１５ｂと、固定苗台１５ａ後部に上下回動可能に設けた第二可動コンベア１５ｃにより構成されており、固定コンベア１５ａに対して第一可動コンベア１５ｂ及び第二可動コンベア１５ｃが直線状に並列した展開姿勢と、第一可動コンベ１５ｂ及び第二可動コンベア１５ｃが固定コンベア１５ａ上に折畳まれた折畳姿勢とに姿勢変更可能に構成されている。
【００１９】
また、走行機体２の前記フロアステップ１３ｂよりも前方の前部ステップ１２ｂ外方には、支持装置として前支柱１６と後支柱１７が立設されており、固定コンベア１５ａの底部を取り付けることで苗移送装置１５を支持している。
そして、図２に示すように、畦Ｚから乗用型田植機１にマット苗Ｎを供給する際には苗移送装置１５が展開姿勢にあり、その全体が前高後低の傾斜姿勢になっている。
この時、苗移送装置１５を構成する第一可動コンベア１５ａは走行機体２の前端から大きく突出すると共に、第二可動コンベア１５ｂは、座席１４後端部側方まで延出され、移植作業機３の苗載せ台８の近傍に位置するようになっている。
【００２０】
また、上述の如く展開姿勢状態にある苗移送装置１５は、全体としては、図１に示すように、左右の外枠１８，１８間に所定の間隔で転動ローラ１９を複数取り付けたローラコンベアの形態を採用しており、畦際から苗移送装置１５にマット苗Ｎを補給する際には、先ず走行機体２の前端から大きく突出する苗移送装置１５の第一苗台１５ａを畦際に位置させ、マット苗Ｎを前記転動ローラ１９上を機体後方に順次滑らせることによって、マット苗Ｎを圃場外から連続的に苗移送装置１５上に補給することができる構成としている。
【００２１】
尚、苗移送装置１５を構成する第二可動コンベア１５ｃの後端には断面が逆Ｌ字状のストッパプレート２０が横設されており、このストッパプレート２０によって前高後低の傾斜姿勢に構成されている苗移送装置１５の後端部からのマット苗Ｎの落下を防止しており、苗移送装置１５を予備苗台としてマット苗Ｎを載置した状態での移植作業が可能となっている。
【００２２】
そして、苗移送装置１５の後端部に移送されたマット苗Ｎを苗移送装置１５から取り出すと、次のマット苗Ｎが自重によって苗移送装置１５の後端部に移動するので、従来のように走行機体２の前部に予備苗台を備えたもののように作業者は走行機体２上を前後に移動することなく、走行機体２の後部にいながら苗移送装置１５の後端部からマット苗Ｎを順次苗載せ台８に供給することができる。
すなわち、補助者が機外から苗移送装置１５にマット苗Ｎを供給する場合には、作業者は走行機体２の後部から全く移動することなく苗載せ台８にをマット苗Ｎを供給することができ、補助者がいない場合は作業者が機外から苗移送装置１５にマット苗Ｎを供給して苗移送装置１５上にマット苗Ｎを満載にした状態で機体後部に移動して、上述のように苗移送装置１５の後端からマット苗Ｎを順次苗載せ台８に供給すればよく、少なくとも機外から走行機体２上に供給されたマット苗Ｎを苗載せ台８に供給する際には走行機体２上を前後に移動する必要がない。
【００２３】
以上のように構成された乗用型田植機１において、畦際からマット苗Ｎを苗載せ台８に供給する際には、マット苗Ｎが入った苗箱２１、又はマット苗Ｎを載せた苗掬い板２２を苗移送装置１５の前端部に載置すると、苗箱２１は前高後低上に構成された苗移送装置１５上を滑り、苗移送装置１５の後端部側に移送される。
【００２４】
そして、作業者は苗箱２１、又は苗掬い板２２に載せた予備苗Ｎを苗載せ台８に滑り込ませて順次供給し、苗供給作業を終えたら、苗箱２１、又は苗掬い板２２を苗移送装置１５に載置しておき、乗用型田植機１が再度畦Ｚに近づいたときに返却する。
【００２５】
ここで、苗移送装置１５の支持装置について詳述すると、前記前支柱１６、及び後支柱１７は走行機体２の機体フレームに立設された筒柱２３と、該筒柱２３の内側に摺動自在に嵌合する支持杆２４からなっており、該支持杆２４の上端部には回動支軸２４ａが設けられており、該回動支軸２４ａにはブラケット２５ａ，２５ｂが回動自在に取り付けられている。
そして、当該各ブラケット２５ａ，２５ｂに前記固定苗台１５ａを取り付けることにより、苗移送装置１５は走行機体２の側部に支持される。
【００２６】
また、図３に示すように前記筒柱２３には複数の孔２６が穿設されており、該複数の孔２６のうち適宜のものを選択して支持杆２４に設けた孔２７を合わせて係止ピン２８を挿通させて筒柱２３に支持杆２４を係止することで前後の支柱１６，１７を夫々所望の長さに調節することができる。
そして、前支柱１６と後支柱１７を夫々適宜の長さに調節することによって、苗移送装置１５の前端部と、後端部の高さ、及び前後傾斜量を作業条件に合わせて設定することができる。
尚、前支柱１６と後支柱１７の長さを各別に調節可能にすることにより両支持杆２４，２４の回動支軸２４ａ，２４ａ間の距離が変化するが、前記ブラケット２５ａ，２５ｂのうち前支柱側のブラケット２５ａには長孔２５ｃが穿設してあり、回動支軸２４ａが該長孔２５ｃ内を移動することにより許容される。
【００２７】
図４は、標準よりも畦Ｚが高い圃場において、補助者の作業姿勢が低くなり過ぎないように苗移送装置１５の高さを標準よりも高く調節した場合を示す側面図である。
前支柱１６の支持杆２４を筒柱２３の標準位置の孔２６ａよりも２段高い最上段の孔２６ｂに係止し、後支柱１７を標準位置の孔２６ａよりも１段高い孔２６ｃに係止することで、苗移送装置１５の標準の姿勢Ｐ（図中の一点鎖線）よりも前端部が高く調節され、後端部は標準位置と同等の位置に調節されている。
【００２８】
図５は、標準よりも畦Ｚが低い圃場において、補助者の作業姿勢が高くなり過ぎないように苗移送装置１５の高さを標準よりも低く調節した場合を示す側面図である。
前支柱１６の支持杆２４を筒柱２３の標準位置の孔２６ａよりも２段低い最下段の孔２６ｄ位置に係止し、後支柱１７を標準位置２６ａよりも１段低い位置２６ｅに係止することで、苗移送装置１５の標準の姿勢Ｐ（図中の一点鎖線）よりも前端部が低く調節され、後端部は標準姿勢と同等の位置に調節されている。
単に苗移送装置１５を平行上下させるものでは、前端部を上下調節すると後端部も共に上下して、機上のオペレータの作業姿勢が悪くなる場合があり、また単に回動するものでは後端部が背反的に上下するので、場合によっては苗移送装置１５の前後傾斜が前低後高状になってしまい、後方への苗の移送が困難になってしまう場合がある。
しかし、本願発明の乗用型田植機１は苗移送装置１５の前部と後部を夫々高さ調節可能としているので、移植機前方の畦Ｚにおいて苗移送装置１５の前端部にマット苗Ｎを載置する補助者と、乗用型田植機１上で苗移送装置１５の後端部からマット苗Ｎを取り出して苗載せ台８に載置するオペレータの夫々の作業姿勢に無理がかからないような高さを、マット苗Ｎがスムーズに苗移送装置１５上を搬送されるように苗移送装置１５の前後傾斜を考慮に入れながら設定することができる。
【００２９】
また、苗移送装置１５の前部、又は後部のうち一方を支柱１６（１７）に支持した状態で他方の高さを調節することにより、苗移送装置１５の前端部、又は後端部のうち所望の一方を調節した後、他方を苗移送装置１５の前後傾斜を睨みながら高さ設定することができる。
また、その際、苗移送装置１５の荷重を前後一方の支柱１６（１７）で受けながら他方の高さ調節を行うので、高さ調節の際に作業者が支える重量を軽減することができる。
【００３０】
また、畦側に位置する前端側は畦の高さによっては大きく上下させる必要があるのに対して、後端側の作業高さはリヤステップとの相対高さであるため前端側ほど上下調節量は必要ない。
本願発明は、前後の支柱は苗移送装置１５の前後中央よりも後方に偏位した位置に連結しているので、前支柱１６の上下量に対する苗移送装置１５の前端部の上下量が後支柱１７の上下量に対する苗移送装置１５の後端部の上下量よりも大きくなっている。
これにより、筒柱２３、と支持杆２４との調節代を大きく設定することなく、苗移送装置１５の必要な調節量を得ることができる。
【００３１】
また、図６のように苗移送装置１５を前低後高状に傾斜させれば、苗移送装置１５上のマット苗Ｎを苗載せ台８に供給した後の、苗箱２１、または苗掬い板２２を返却する返却姿勢とすることができる。
尚、図１中、符号２７は苗移送装置１５が前低後高状の傾斜姿勢になった際に苗移送装置１５の前端部からマット苗Ｎが落下するのを防止するための落下防止部材であって、板バネで構成されており、前方からマット苗Ｎを供給する際には後方に弾性変形してマット苗Ｎの供給を妨げないように取付られている。
【００３２】
図７、及び図８は本願発明の第２実施例を示すものである。
図中の符号２８は苗移送装置１５を上下操作する際に把持する把手であって、支持杆２４の回動支軸２４ａに一体的に構成されており、筒柱２３と支持杆２４の係止を解除した状態で当該把手２８を持って苗移送装置１５を上下させるためのものである。
また、上記把手２８に隣接して操作具２９を回動支軸２４ａに回動自在に支持する一方、上記把手２８には規制部材２８ａを設けており、操作具２９と接当することにより、操作具２９の下方回動を規制して、把手２８と操作具２９とを同時に握り操作可能としている。
一方、支持杆２４には筒柱２３に設けた複数の孔２６と選択的に係合する係止ピン３０が進退可能に設けられ、圧縮スプリング３１で筒柱２３の外面側に向けて付勢されており、さらに、当該係止ピン３０と前記操作具２９の基部側に設けたピン３２とが連動ワイヤ３３で連結されている。
尚、図中３４は前記連動ワイヤ３３のアウタを支持するプレートであり、前記支持杆２４に溶接によって取付けられている。
【００３３】
以上の構成により、本実施例のものは、苗移送装置１５に把手２８及び該把手２８と同時に握り操作可能な操作具２９を設け、該操作具２９の握り操作で前記連動ワイヤ３３を介して、前記圧縮スプリング３１に抗して前記係止ピン３０を支持杆２４の内方側へ退動させて支持杆２４と筒柱２３との係止を解除することができるようにしている。
そして、把手２８と操作具２９を同時に握って苗移送装置１５を支えながら筒柱２３と支持杆２４との係止を解除することができるので、係る係止解除操作、苗移送装置１５の上下操作、及び再度の係止操作という苗移送装置１５の高さ調節の一連の作業を持ち替えなくスムーズに行うことができる。
【００３４】
また、前述のように、一連の植付作業中にマット苗Ｎを苗載せ台８に供給した後の空箱２１や苗掬い板２２を畦Ｚに返却する際には、後支柱１７側の把手２８と操作具２９を同時に握って苗移送装置１５を上方に持ち上げて手を離すだけで前低後高の返却姿勢をとれるのでとくに有利である。
【００３５】
さらに、図９は本願発明の第３実施形態を示すものであり、本実施形態のものは、前後の支柱１６，１７の長さをアクチュエータによって上下伸縮自在にしたものである。
詳述すると、走行機体２の機体フレームに連接した支持枠３５に電動モータ（アクチュエータ）３６，３６を前後に並設し、該電動モータ３６，３６の出力軸にスクリュー螺子軸３７，３７を装着している。
図中の符号３８，３８はその前記スクリュー螺子軸３７，３７に被装する支持杆であり、当該支持杆３８，３８の下端部には前記スクリュー螺子軸３７，３７に螺装されるナット３９，３９が取り付けられている。
一方、図中の符号４０は前記電動モータ３６，３６を操作するコントローラ、４１は前記支持枠３５に取り付けられた制御部であり、コントローラ４０で前記電動モータ３６，３６を操作してスクリュー螺子軸３７，３７を夫々正逆回転させることで支持杆３８，３８を昇降させて支柱１６，１７の長さを上下伸縮自在にしている。
【００３６】
以上の構成により本実施の形態の乗用型田植機１は、電動モータ（アクチュエータ）３６，３６によって支柱１６，１７を上下伸縮自在にしたので、作業者は重量物を支えることなく苗移送装置１５の高さ調節を行うことができる。
さらに、本実施の形態においては支柱１６，１７の上下伸縮をスクリュー螺子軸３７，３７の回転で行うため、支柱１６，１６の長さの無段階の調節が可能となる。
【００３７】
また、前記コントローラ４０と制御部４１とは長い信号線４２で連繋されており、コントローラ４０を少なくとも苗移送装置１５の前端部と後端部との間において、何れの位置からも操作可能にしている。
係る構成によって、乗用型田植機１上のオペレータからも、畦Ｚ上の補助者からも苗移送装置１５の高さ調節を容易に行うことができる。
【００３８】
また、苗移送装置１５を前側の支柱１６に取り付けるブラケット１５ａの長孔２５ｃ部にはリミットスイッチ４３，４３が設けられており、支持杆３８の回動支軸３８ａが該リミットスイッチ４３，４３に接当することにより、前記電動モータ３６，３６の駆動を停止するように構成しているので、苗移送装置１５が必要以上に傾斜するのを防止して、マット苗Ｎが落下するのを未然に防ぐことができる。
【００３９】
尚、リミットスイッチ４３，４３に代えて、苗移送装置１５に傾斜センサを設け、該傾斜センサの検出値から苗移送装置１５の過傾斜を防止すべく電動モータ３６，３６を停止するように構成してもよい。
【図面の簡単な説明】
【００４０】
【図１】本発明の移植機の平面図である。
【図２】同上側面図である。
【図３】同上要部背面図である。
【図４】苗移送装置を標準よりも高く調節した場合の一例を示す側面図である。
【図５】苗移送装置を標準よりも低く調節した場合の一例を示す側面図である。
【図６】苗移送装置を前低後高の姿勢に調節した場合の一例を示す側面図である。
【図７】第２実施形態を示す要部側面図である。
【図８】第２実施形態を示す要部背面図である。
【図９】第３実施形態を示す側面図である。
【符号の説明】
【００４１】
２    走行機体
３    移植作業機
８    苗載せ台
１５    苗移送装置
１６    前支柱
１７    後支柱
Ｎ    マット苗
【図１】
2007037500.tif 000003
【図２】
2007037500.tif 000004
【図３】
2007037500.tif 000005
【図４】
2007037500.tif 000006
【図５】
2007037500.tif 000007
【図６】
2007037500.tif 000008
【図７】
2007037500.tif 000009
【図８】
2007037500.tif 000010
【図９】
2007037500.tif 000011